(57)【特許請求の範囲】
【請求項１】
一枚のブランクシートから一体的に打ち抜かれた仕切り形成片から成り、この仕切り形成片には包装箱の底面に重ねられる第一底面と、前記第一底面に連接され前記包装箱の内部空間に突出する緩衝支持部と、前記緩衝支持部に連接され前記緩衝支持部の突出方向と交差して前記包装箱の底面に沿って折り返されて前記第一底面と面一に連続して並べられる第二底面と、前記第一底面に重ねられて設けられ前記第二底面の一部に重ねられるとともに、第二底面を前記第一底面と面一にガイドする第三底面が設けられ、前記第一底面と第二底面を面一に連続して並べた形状は、前記包装箱の底部に僅かなゆとりを有して嵌合される形状であることを特徴とする緩衝用仕切り。
【請求項２】
前記緩衝支持部と前記第二底面は、前記第一底面の両端縁に一対が設けられていることを特徴とする請求項1記載の緩衝用仕切り。
【請求項３】
前記緩衝支持部は、互いに平行な３本の折罫線が設けられ、前記折罫線を折り曲げて前記包装箱の内部空間に２つの傾斜面で三角形に形成され、頂点となる折罫線には前記包装箱の収容物が嵌合される透孔が設けられていることを特徴とする請求項1記載の緩衝用仕切り。
【請求項４】
前記第三底面は、前記第一底面の前記緩衝支持部との連接方向に交差する端部に連接して設けられ、前記第三底面には前記第一底面から前記緩衝支持部側へ突出する突出部が設けられ、前記第三底面は前記第一底面に折り返されて糊付けされ前記突出部は前記第一底面の前記緩衝支持部側に突出し、前記第二底面に重ねられることを特徴とする請求項1記載の緩衝用仕切り。
【請求項５】
前記緩衝支持部と前記第二底面の間に、前記包装箱の内側面に沿う緩衝折曲部が設けられ、前記緩衝支持部と前記緩衝折曲部の間に、前記第二底面に糊付けされる糊付部が設けられていることを特徴とする請求項１記載の緩衝用仕切り。
【発明の詳細な説明】
【技術分野】
【０００１】
この発明は、包装箱の内部空間を仕切り、収容物を緩衝的に保護する緩衝用仕切りに関する。
【背景技術】
【０００２】
従来、ガラス製の収容物等、衝撃で破損しやすいものは、破損を防ぐために緩衝性のある包装箱に収容して運搬や保管を行っている。緩衝性のある包装箱は、例えば特許文献１に開示されている包装箱がある。この包装箱は、４つの外側壁の上部を内側に折り返して２重壁としたトレイ状段ボール製外箱と、外箱に内挿される緩衝仕切とを備える。この緩衝仕切は、外箱の底壁に底部を当接させ、底部の両端部から立ち上がる２つの傾斜部分の各先端を、外箱の対向する内側壁に当接させると共に、前記２つの傾斜部分の対向する位置に切欠きが設けられているものである。
【特許文献１】実開平６−５１１２６号公報
【発明の開示】
【発明が解決しようとする課題】
【０００３】
上記従来の技術の場合、緩衝仕切と外箱が一組として設けられ、緩衝仕切専用の外箱が必要であった。一方、専用の外箱ではなく、いろいろな包装箱に入れて使用する緩衝用仕切りもある。例えば包装箱の内部空間に三角形状に突出する緩衝支持部を設け、緩衝支持部の頂点に収容物を保持する透孔が設けられた緩衝用仕切りがある。しかしこのような三角形状に突出する緩衝支持部は、角度が一定にならず、外箱の内側で位置も不安定であり、確実に収容物を保持することができなかった。また、組み立て時に作業者の折込作業による仕切りの容器保持位置にばらつきが生じ、作業効率も良くないものであった。
【０００４】
この発明は、上記背景技術の問題点に鑑みてなされたものであり、包装箱の所定位置に安定して設置され、高い緩衝機能を有する緩衝用仕切りを提供することを目的とする。
【課題を解決するための手段】
【０００５】
本発明は、一枚のブランクシートから一体的に打ち抜かれた仕切り形成片から成り、この仕切り形成片には包装箱の底面に重ねられる第一底面と、前記第一底面に連接され前記包装箱の内部空間に突出する緩衝支持部と、前記緩衝支持部に連接され前記緩衝支持部の突出方向と交差して前記包装箱の底面に沿って折り返されて前記第一底面と面一に連続して並べられる第二底面と、前記第一底面に重ねられて設けられ前記第二底面の一部に重ねられるとともに、第二底面を前記第一底面と面一にガイドする第三底面が設けられている緩衝用仕切りであり、前記第一底面と第二底面を面一に連続して並べた形状は、前記包装箱の底部に僅かなゆとりを有して嵌合される形状である。
【０００６】
また、前記緩衝支持部と前記第二底面は、前記第一底面の両端縁に一対が設けられている。
【０００７】
また、前記緩衝支持部は、互いに平行な３本の折罫線が設けられ、前記折罫線を折り曲げて前記包装箱の内部空間に２つの傾斜面で三角形に形成され、頂点となる折罫線には前記包装箱の収容物が嵌合される透孔が設けられている。
【０００８】
また、前記第三底面は、前記第一底面の前記緩衝支持部との連接方向に交差する端部に連接して設けられ、前記第三底面には前記第一底面から前記緩衝支持部側へ突出する突出部が設けられている。前記第三底面は前記第一底面に折り返されて糊付けされ、このとき前記突出部は前記第一底面の前記緩衝支持部側に突出し、前記第二底面に重ねられる。前記第三底面の、前記第一底面と反対側の先端部には、前記第一底面に糊付けされる糊付片が設けられている。
【０００９】
また、前記緩衝支持部と前記第二底面の間に、前記包装箱の内側面に沿う緩衝折曲部が設けられ、前記緩衝支持部と前記緩衝折曲部の間に、前記第二底面に糊付けされる糊付部が設けられている。前記緩衝折曲部は、互いに平行な４本の折罫線が設けられ前記緩衝支持部の突出方向へコの字形に折り曲げられている。
【発明の効果】
【００１０】
本発明の緩衝用仕切りは、包装箱の所定位置に安定して設置され、高い緩衝機能を有する。さらに、収容物を保持する緩衝支持部は位置が固定され、収容物が外れることを防ぎ、確実に保護することができる。
【発明を実施するための最良の形態】
【００１１】
以下、この発明の実施形態について図面に基づいて説明する。図１〜図５はこの発明の一実施形態を示すもので、この実施形態の緩衝用仕切り１０は、包装箱１２の内側に入れられ、収容物を緩衝的に保持するものである。包装箱１２は、互いに直角に位置する２対の側面１４，１６が設けられている。各側面１４，１６の、下方の開口部は底面２２によって閉鎖され、上方の開口部は蓋片２４で開閉自在に閉鎖されている。
【００１２】
この実施形態の緩衝用仕切り１０は、紙製等の一枚のブランクシートを打ち抜いて形成された仕切形成片２６を組み立てて設けられている。図２は仕切形成片２６を表面から見た展開図であり、仕切り形成片２６は、一方向に長い矩形状に形成されている。
【００１３】
仕切り形成片２６の、長手方向のほぼ中心には第一底面２８が設けられ、第一底面２８は、仕切り形成片２６の長手方向に直交する方向に長い矩形である。第一底面２８の、一方の長い側縁部には、緩衝支持部３０が折罫線３２で区切られて設けられている。緩衝支持部３０は、第一底面２８とほぼ同じ形状の矩形であり、連接方向の中間に、折罫線３２に対して平行な折罫線３４が設けられている。折罫線３４の途中には、５個の透孔３６が等間隔に設けられている。透孔３６は、折罫線３４に交差する方向に長い楕円形状である。
【００１４】
緩衝支持部３０の、折罫線３２と反対側の側縁部には、補助底面３８が折罫線４０で区切られて設けられている。補助底面３８は、緩衝支持部３０と連接している幅方向は同じ幅に形成され、連接方向の長さは第一底面２８よりも短く形成されている。補助底面３８の、折罫線４０と反対側の側縁部には、緩衝折曲部４２が折罫線４４で区切られて設けられている。緩衝折曲部４２は、補助底面３８と連接している幅方向は同じ幅に形成され、連接方向の長さは第一底面２８よりも長く形成されている。緩衝折曲部４２の連接方向の中間には、互いに平行な一対の折罫線４６，４８が設けられている。折罫線４４の途中には、後述する第二底面５４に糊付けされる糊付部５０が２箇所設けられている。糊付部５０は、折罫線４４に沿う方向に長い矩形であり、折罫線４４から緩衝折曲部４２へ膨出し、緩衝折曲部４２へ膨出した周縁部に沿って切断線５２が設けられている。
【００１５】
緩衝折曲部４２の、折罫線４４と反対側の側縁部には、第二底面５４が折罫線５６で区切られて設けられている。第二底面５４は、緩衝折曲部４２と連接している幅方向は緩衝折曲部４２よりも僅かに短く形成され細くなり、連接方向の長さは第一底面２８よりも短く補助底面３８よりも長く形成されている。各折罫線３２，４０，４４，４６，４８，５６には、折り曲げを容易にする破断線が各々設けられている。
【００１６】
第一底面２８の、折罫線３２と反対側の側縁部には、折罫線３２側と同様に、緩衝支持部５８、補助底面６６、緩衝折曲部７０、第二底面８２が、各々折罫線６０，６８，７２，８４で区切られて設けられている。
【００１７】
緩衝支持部５８は、第一底面２８と連接している幅方向は同じ幅に形成され、連接方向の長さは第一底面２８よりも少し長く形成されている。緩衝支持部５８の連接方向の中間に折罫線６２が設けられ、折罫線６２の途中には、５個の透孔６４が等間隔に設けられている。透孔６４は、折罫線６２に交差する方向に長い楕円形状である。
【００１８】
補助底面６６は補助底面３８とほぼ同じ大きさに形成されている。緩衝折曲部７０は緩衝折曲部４２よりも連接方向の長さが少し短く形成されている。緩衝折曲部７０の連接方向の中間には、互いに平行な一対の折罫線７４，７６が設けられている。補助底面６６と緩衝折曲部７０を区切る折罫線７２には、糊付部７８が２箇所設けられ、糊付部７８の緩衝折曲部７０へ膨出した周縁部に沿って切断線８０が設けられている。
【００１９】
第二底面８２は、第二底面５４とほぼ同じ大きさに形成されている。また、各折罫線６０，６８，７２，７４，７６，８４には、折り曲げを容易にする破断線が各々設けられている。
【００２０】
第一底面２８の、折罫線３２，６０に対して直交する一方の端部には、第三底面８６が折罫線８８で区切られて設けられている。折罫線８８には、折り曲げを容易にする破断線が各々設けられている。第三底面８６は、第一底面２８の折罫線３２，６０の外側に達する長い矩形に形成され、第三底面８６の両端部分は、第一底面２８の折罫線３２，６０の側方に突出して緩衝支持部３０，５８に隣接する突起部８６ａとなる。突起部８６ａと緩衝支持部３０，５８は、切断線９０で区切られている。第三底面８６の、折罫線８８と反対側の端部は糊付部９２が設けられ、糊付部９２は第三底面８６の端部から側方へ台形状に突出して設けられている。
【００２１】
第一底面２８の、折罫線８８と反対側の端部には、第三底面８６と同形の第三底面９４が折罫線９６で区切られて設けられている。第三底面９４の両端部分は突起部９４ａとなり、緩衝支持部３０，５８とは切断線９８で区切られている。第三底面９４の折罫線９６と反対側の端部には糊付部１００が設けられている。折罫線８８，９６には、折り曲げを容易にする破断線が各々設けられている。
【００２２】
次に、この実施形態の緩衝用仕切り１０の組立方法の一例について説明する。なお、ここでは図２が緩衝用仕切り１０の仕切り形成片２６の表面が凸になる折り方を正折り、そして裏面が凸になる折方を逆折りと称する。まず、糊付部５０の裏面に糊１０２を塗布し、緩衝折曲部４２の折罫線４８を正折りし、第二底面５４の裏面が糊１０２により糊付部５０の裏面に糊付けされる。また糊付部７８の裏面に糊１０４を塗布し、緩衝折曲部７０の折罫線７６を正折りし、第二底面８２の裏面が糊１０４により糊付部７８の裏面に糊付けされる。次に第三底面８６の糊付部９２の裏面に糊１０６を塗布し、第三底面８６を折罫線８８で正折りし、第一底面２８の裏面が糊１０６により糊付部９２の裏面に糊付けされる。また第三底面９４の糊付部１００に糊１０８を塗布し、第三底面９４を折罫線９６で正折りし、第一底面２８の裏面が１０８により糊付部１００の裏面に糊付けされる。これにより、図３に示す折り畳み状態となり、この状態で出荷される。
【００２３】
次に収容物を収容し包装する工場等において、図４に示すように、折罫線４４を９０度に逆折りし、折罫線４６，４８，５６を９０度に正折りし、緩衝折曲部４２を、補助底面３８に対してほぼ直角に突出するコの字形にする。第二底面５４は、補助底面３８の裏面に糊付けされているため、緩衝支持部３０と、第三底面８６，９４の突起部８６ａ，９４ａの間に挟まれている。また、折罫線７２を９０度に逆折りし、折罫線７４，７６，８４を９０度に正折りし、緩衝折曲部７０を補助底面６６に対してほぼ直角に突出するコの字形にする。第二底面８２は、補助底面６６の裏面に糊付けされているため、緩衝支持部５８と、第三底面８６，９４の突起部８６ａ，９４ａの間に挟まれている。
【００２４】
そして、折罫線３２，４０を逆折りし折罫線３４を正折りして緩衝支持部３０を第一底面２８から突出する三角形にする。このとき、折罫線３２，４０の距離が狭くなり、第二底面５４は、第三底面８６，９４の突起部８６ａ，９４ａの裏面を摺動しながら第一底面２８に近づき、第一底面２８の折罫線３２に当接し、第一底面２８と面一に連続する。これと同様に、折罫線６０，６８を逆折りし折罫線６２を正折りして緩衝支持部５８を第一底面２８から突出する三角形にする。このとき、折罫線６０，６８の距離が狭くなり、第二底面８２は、第三底面８６，９４の突起部８６ａ，９４ａ裏面を摺動しながら第一底面２８に近づき、第一底面２８の折罫線６０に当接し、第一底面２８と面一に連続する。
【００２５】
これにより、第一底面２８、第二底面５４、第二底面８２は、第三底面８６，９４にガイドされて面一に連続され、底面が一定面積となる。第三底面８６，９４は第一底面２８に接着されているため、第二底面５４，８２が第一底面２８に重なることが無く、面積が小さくなることを防ぐ。これにより、緩衝支持部３０，５８と緩衝折曲部４２，７０の折り曲げ角度や位置が一定に決められる。なお、仕切り形成片２６を組み立てる順番はこれ以外でも良く、適宜変更可能である。
【００２６】
このように一定の形状に組み立てられた緩衝用仕切り１０は、包装箱１２の内側に入れられる。緩衝用仕切り１０の第一底面２８と第二底面５４、第二底面８２が互いに連続した形状は、包装箱１２の底面２２に僅かなゆとりを有して嵌合される形状であり、がたつきが無い状態でセットされる。また緩衝支持部３０，５８の三角形状に組み立てられた斜面の角度や位置は一定となる。緩衝支持部３０の透孔３６と、緩衝支持部５８の透孔６４は、緩衝支持部３０，５８の頂点に等間隔で並べられる。
【００２７】
次にこの実施形態の緩衝用仕切り１０の使用方法の一例について説明する。ここでは緩衝用仕切り１０を入れた包装箱１２に、ガラス製等のシリンジ１１０を収容して使用する。シリンジ１１０は組み立てられた緩衝折曲部４２，７０の間に入る長さで、透孔３６，６４に嵌合される直径の円柱形であり、シリンジ１１０の中には薬液１１２が充填されている。そしてシリンジ１１０を、緩衝支持部３０の透孔３６と、緩衝支持部５８の透孔６４に掛け渡し、シリンジ１１０の側面の２箇所を保持して収容する。ここでは５本のシリンジ１１０を互いに平行に収容する。包装箱１２の、シリンジ１１０の上方には空間があり、ここにシリンジ１１０から薬液１１２を押出すときに使用するピストン１１４が、収容されてもよい。
【００２８】
この実施形態の緩衝用仕切り１０によれば、仕切りのない包装箱１２に、収容物の形状や数に合わせた仕切りを設け、収容物を高い緩衝強度で収容し、取り出しの際は容易に取り出すことができる。第一底面２８、第二底面５４、第二底面８２を面一に連続して並べた形状は、包装箱１２の底面２２に僅かなゆとりを有して嵌合される形状であるため、緩衝用仕切り１０が包装箱１２にがたつきが無い状態でセットされ、緩衝支持部３０，５８と衝折曲部４２，７０の折り曲げ角度や位置は一定に固定される。これにより、収容物が破損し易いシリンジ１１０でも、緩衝支持部３０の透孔３６と、緩衝支持部５８の透孔６４に掛け渡して上下方向の緩衝強度を高めて収容することができる。包装箱１２の側面内側に緩衝折曲部４２，７０が設けられているため、シリンジ１１０の両端部を保護し水平方向の緩衝強度も高めることができる。また、包装箱１２の蓋片２４を開けると、シリンジ１１０が互いに平行に並んで収容され、取り出しやすいものである。
【００２９】
また、緩衝用仕切り１０の緩衝支持部３０，５８と緩衝折曲部４２，７０を立体的に折り曲げると、第二底面５４，８２が第三底面８６，９４にガイドされて移動し、第一底面２８に面一に連続するため、緩衝用仕切り１０を立体的に折る組立作業が容易である。また、組み立てた緩衝用仕切り１０を包装箱１２にセットするだけで緩衝支持部３０，５８と緩衝折曲部４２，７０の折り曲げ角度や位置が一定になるため、きれいに組み立てることができ、作業性が向上する。また仕上がりの体裁が良好である。
【００３０】
そして、緩衝用仕切り１０は、不要のときは包装箱１２から外し、仕切りのない包装箱１２とすることができる。緩衝支持部３０，５８の角度や高さ、透孔３６，６４の大きさや数等を変更し、収容物の形状や数に対応することができる。
【００３１】
なお、この発明は、上記実施の形態に限定されるものではなく緩衝支持部の形状や大きさ、透孔の数や形状は、収容物に合わせて適宜変更可能である。収容物はシリンジ以外でも良く、いろいろな収容物に使用することができる。第一底面と第二底面の形状は、セットする包装箱１２の底面に合わせて適宜変更可能である。各糊付部はなくてもよく、補助底面に糊を直接塗布して第二底面に接着したり、第三底面に糊を直接塗布して第一底面に接着したりしても良い。仕切り形成片の素材は紙以外に合成樹脂等でも良い。緩衝用仕切りは左右対称形に設けられても良く、包装箱に入れる向きを合わせる必要をなくして作業効率を向上させても良い。
【図面の簡単な説明】
【００３２】
【図１】この発明の一実施形態の緩衝用仕切りの使用状態を示す正面図である。
【図２】この実施形態の緩衝用仕切りの展開図である。
【図３】この実施形態の緩衝用仕切りの出荷する状態を示す平面図である。
【図４】この実施形態の緩衝用仕切りの出荷する状態を示す縦断面図である。
【図５】この実施形態の緩衝用仕切りの縦断面図である。
【符号の説明】
【００３３】
１０  緩衝用仕切り
１２  包装箱
２２  底面
２６  仕切り形成片
２８  第一底面
３０，５８  緩衝支持部
３６，６４  透孔
３８，６６  補助底面
４２，７０  緩衝折曲部
５４，８２  第二底面
８６，９４  第三底面
１１０  シリンジ
【図１】
0005102639.tif 000002
【図２】
0005102639.tif 000003
【図３】
0005102639.tif 000004
【図４】
0005102639.tif 000005
【図５】
0005102639.tif 000006